(57)【要約】      （修正有）【課題】美容パック等のシートを保存し、便利に取り出すことができる収納ボックスを提供する。また、この収納ボックスが設置されている冷蔵庫を提供する。【解決手段】収納ボックスは、冷蔵庫に設置され、且つ底壁１０４及び周壁を備え、底壁と周壁とが接続されることにより収容空間が形成され、収納ボックスにはさらに第一開口１０５が設けられ、第一開口は収納ボックスに置かれた物品を取り出すために用いられ、収納ボックスにより、使用者は美容パック等のシートを便利に取り出すことができる。第一開口は矩形状を呈し、底壁と周壁とが接続されている箇所に設けられ、第一開口の幅は、その中央部分からそれぞれ延伸方向の両端に向けて除々に広くなっている。【選択図】図２
0003215239.tif 000002
【実用新案登録請求の範囲】
【請求項１】
冷蔵庫に設置される収納ボックスであって、前記収納ボックスは、底壁及び周壁を備え、前記底壁と前記周壁とは接続されて収容空間を形成し、前記収納ボックスにはさらに第一開口が設けられており、前記第一開口は、前記収納ボックスに置かれた物品を取り出すために用いられることを特徴とする収納ボックス。
【請求項２】
前記第一開口は矩形状を呈し、且つ前記底壁と前記周壁とが接続されている箇所に設けられていることを特徴とする請求項１に記載の収納ボックス。
【請求項３】
前記周壁は、第一側壁、第二側壁、左側壁及び右側壁を備え、前記第一開口は前記第一側壁と前記底壁とが接続されている箇所に設けられていることを特徴とする請求項２に記載の収納ボックス。
【請求項４】
前記第一開口の幅は、その中央部分からそれぞれ延伸方向の両端に向けて除々に広くなっていることを特徴とする請求項３に記載の収納ボックス。
【請求項５】
前記第一側壁における前記第一開口の中央の位置に近い箇所に第二開口が設けられ、前記第二開口は前記第一開口に貫通していることを特徴とする請求項３に記載の収納ボックス。
【請求項６】
前記底壁における前記第一開口の中央の位置に近い箇所に第三開口が設けられ、前記第三開口は前記第一開口に貫通していることを特徴とする請求項５に記載の収納ボックス。
【請求項７】
前記第二開口と前記第三開口は半円形を呈することを特徴とする請求項６に記載の収納ボックス。
【請求項８】
前記収納ボックスは、さらに少なくとも一つの仕切り板を備え、前記少なくとも一つの仕切り板は、前記収容空間内に設置され、前記仕切り板は前記収容空間内を分けて二つの部分を形成することを特徴とする請求項１に記載の収納ボックス。
【請求項９】
前記収納ボックスはさらにひっかけ部を備え、前記ひっかけ部は前記収納ボックスの左側及び右側に設置されることを特徴とする請求項１に記載の収納ボックス。
【請求項１０】
請求項１〜９の何れか一つに記載されている前記収納ボックスを含むことを特徴とする冷蔵庫。
【考案の詳細な説明】
【技術分野】
【０００１】
本考案は、収納ボックス及びこの収納ボックスを備えた冷蔵庫に関するものである。
【背景技術】
【０００２】
現在、市場に出ている冷蔵庫は、美容パック、クリーム等の化粧品を単独で保存できる場所が設けられていない。しかし、これら化粧品等を冷蔵庫に保存した後再度使用した場合、使用者は心地良く、しかもスキンケアにさらに効果的である。したがって、本考案に属する技術者に対する開発の要望が高まっている。
【考案の概要】
【考案が解決しようとする課題】
【０００３】
以上の問題点に鑑みて、本考案は、美容パック等のシートの保存、取り出しを便利にすることができる収納ボックスを提供することを目的とする。また、この収納ボックスが設置されている冷蔵庫を提供することも目的とする。
【課題を解決するための手段】
【０００４】
上記の課題を解決するために、本考案の収納ボックスは冷蔵庫に設置され、収納ボックスは底壁及び周壁を備え、底壁と周壁とが接続されることにより収容空間が形成され、収納ボックスにはさらに第一開口が設けられており、この第一開口は収納ボックスに置かれた物品を取り出すために用いられる。
【０００５】
また、前記第一開口は矩形状を呈し、底壁と周壁とが接続されている箇所に設けられている。
【０００６】
また、前記周壁は、第一側壁、第二側壁、左側壁及び右側壁を備え、第一開口は第一側壁と底壁とが接続されている箇所に設けられている。
【０００７】
また、前記第一開口の幅は、その中央部分からそれぞれ延伸方向の両端に向けて除々に広くなっている。
【０００８】
また、前記第一側壁における第一開口の中央の位置に近い箇所に第二開口が設けられ、第二開口は第一開口に貫通している。
【０００９】
また、前記底壁における第一開口の中央の位置に近い箇所に第三開口が設けられ、第三開口は第一開口に貫通している。
【００１０】
また、前記第二開口と第三開口は半円形を呈している。
【００１１】
また、収納ボックスはさらに少なくとも一つの仕切り板を備え、少なくとも一つの仕切り板は収容空間内に設置され、仕切り板は収容空間内を分けて二つの部分を形成する。
【００１２】
また、前記収納ボックスはさらにひっかけ部を備え、ひっかけ部は収納ボックスの左側及び右側に設置される。
【００１３】
本考案に係る冷蔵庫は、上記の課題を解決するために、少なくとも一つの収納ボックスを含む。
【考案の効果】
【００１４】
本考案に係る収納ボックスは、冷蔵庫に応用することができ、使用者が美容パック等のシート又はその他の保存用品を保存し、取り出す要求を満たすことができる。また、美容パック等のシート又はその他の保存用品に最適な収容空間を提供する。また、収納ボックスには第一開口が設けられているため、使用者は、美容パック等のシートを便利に取り出すことができる。この他にも、収納ボックスは、使用者のその他の保存用品を保存し、取り出す要求を満たすことができる。
【図面の簡単な説明】
【００１５】
【図１】本考案に係る実施形態の収納ボックスを備えた冷蔵庫のドアの構造を示す斜視図である。
【図２】本考案に係る実施形態の収納ボックスの構造を示す斜視図である。
【図３】本考案に係る実施形態を正面から見た図である。
【考案を実施するための形態】
【００１６】
以下、具体的な実施方法と図面とを併せて、本考案を詳細に説明する。
【００１７】
本考案の実施例中の図面と併せて、本考案の実施例中の技術方案に対して明瞭に且つ完全に説明する。しかしながら、この説明されている実施例は、本考案の一部の実施例にすぎず、全ての実施例ではない。本考案中の実施例に基づき、本分野に属する当業者が容易に想到できるその他の実施例も本考案の保護範囲に属する。
【００１８】
特別に定義しない限り、本考案で使用する全ての技術及び科学技術用語は、本考案の技術分野に属する当業者が通常理解できる意味と同じである。以下において、本考案の明細書中で使用されている技術用語は、ただ具体的に実施例の目的を説明するためであり、本考案を限定するものではない。
【００１９】
以下の図面に基づき、本考案の実施形態について詳細に説明する。矛盾しない限り、本願に記載の実施例と実施例中の特徴は互いに組み合わせることができる。
【００２０】
図１及び図２を参照すると、収納ボックス１０は冷蔵庫中に応用でき（図示せず）、美容パック等のシート又はその他の保存用品を保存し、取り出すのに用いられる。具体的には、本実施形態において、収納ボックス１０は前記冷蔵庫のドア２０に応用される。
【００２１】
本実施例において、収納ボックス１０は一体化されたボックス構造である。収納ボックス１０は、第一側壁１００、第二側壁１０１、左側壁１０２、右側壁１０３及び底壁１０４を含む。第一側壁１００と第二側壁１０１は互いに対向して設置されており、左側壁１０２と右側壁１０３は互いに対向して設置されている。また、第一側壁１００、第二側壁１０１、左側壁１０２、右側壁１０３は、底壁１０４を囲むように設置されており、且つ底壁１０４と共に一端が開口している収容空間２００を形成している。この収容空間２００は、美容パック等のシート又はその他の保存用品を収納するのに用いられる。
【００２２】
本実施例において、収納ボックス１０には、一端が開口している収容空間２００が設けられているため、物品を保存し、取り出すのに便利である。
【００２３】
収納ボックス１０にはさらに、美容パック等のシートを第一開口１０５から取り出せるよう第一開口１０５が設置されている。この第一開口１０５は略矩形状を呈しているが、第一開口１０５のサイズはシートのサイズより小さい、例えば、第一開口１０５の長さはシートの長さより短いことが好ましい。これにより、使用者は、美容パック等のシートを力を入れることで第一開口から取り出すことができ、また、美容パック等のシートを収納ボックス１０に保存する際に、第一開口１０５から滑り出ることはない。
【００２４】
第一開口１０５の幅は、その中央部分からそれぞれ延伸方向の両端に向けて除々に広くなっている。これにより、美容パック等のシート整理をすることができ、使用者は容易に取り出すことができる。
【００２５】
図３を併せて参照すると、具体的には、本実施例において、第一側壁１００と底壁１０４とが接続されている箇所に、第一開口１０５が設けられている。
【００２６】
これからわかるように、さらに使用者が便利に使用できるよう、第一側壁１００における第一開口１０５の中央の位置に近い箇所に、第二開口１０６を設けることができる。第二開口１０６と第一開口１０５とは互いに貫通している。さらに、底壁１０４における第一開口１０５の中央の位置に近い箇所に、第三開口１０７を設けることもできる。第三開口１０７と第一開口１０５とは互いに貫通している。このように、第一開口１０５と第二開口１０６及び／又は第三開口１０７は、指を入れる位置を形成している。これにより、使用者は、この指を入れる位置から美容パック等のシートを容易につかんで取り出すことができる。ひいては、美容パック等のシートを第一開口１０５から取り出すことができる。
【００２７】
第二開口１０６と第三開口１０７は、半円形を呈している。
【００２８】
本実施例において、使用者の要求を満たすために、収容空間２００内に仕切り板１０８を設置することができる。これにより、収容部３００を形成して、使用者がその他の保存用品を分類及び収納するのを便利にする。
【００２９】
本実施例において、仕切り板１０８は、左側壁１０２と右側壁１０３との間に設置されており、且つ左側壁１０２及び右側壁１０３と平行である。
【００３０】
その他の実施例において、仕切り板１０８は、収容空間２００内における設置の位置は上述のように限定されず、具体的な状況に基づいて調整することができる。例えば、仕切り板１０８は、第一側壁１００と第二側壁１０１との間に設置することができ、且つ第一側壁１００及び第二側壁１０１と略平行に設置される。また、収容部３００の形状及びサイズも具体的な要求に基づいて調整することができる。さらに、仕切り板１０８の数量も具体的な要求に基づいて設置することができる。例えば、一つ又は複数設置できる。また、使用者の収納分類を便利にするために、一つ又は複数の収容部３００を形成してもよい。
【００３１】
収納ボックス１０は、冷蔵庫（図示せず）と接続するのに用いられる設置部を備える。
例えば、本実施例においては、ひっかけ部１０９である。このひっかけ部１０９は、収納ボックス１０の左側壁１０２と右側壁１０３に対して垂直方向に突出して設置されている。ひっかけ部１０９と収納ボックス１０は一体構造である。
【００３２】
第一側壁１００、第二側壁１０１、左側壁１０２及び右側壁１０３は共に収納ボックスの周壁を形成している。
【００３３】
ひっかけ部１０９は、前記冷蔵庫のドア２０内の対応するスロット３０と互いにマッチすることができ、また、ひっかけ部１０９とスロット３０とのマッチにより、収納ボックス１０を冷蔵庫のドア２０に設置する。
【００３４】
本実施例において、使用者の身長及び物品の清潔度を考慮し、且つ使用者の体験を向上させるために、収納ボックス１０は、前記冷蔵庫のドア２０の内側における上方に設置
してもよい。
【００３５】
その他の実施例において、実際の要求に基づいて、収納ボックス１０は冷蔵庫（図示せず）の任意の位置に設置することができる。
【００３６】
以上に述べたように、収納ボックス１０は冷蔵庫（図示せず）に応用することができ、このように、使用者が美容パック等のシート又はその他の保存用品を保存し、取り出す要求を満たすことができる。また、美容パック等のシート又はその他の保存用品に最適な収容空間を提供する。また、収納ボックス１０には、底壁１０４に近い箇所に第一開口１０５が設けられているため、収納ボックス１０を比較的高い位置に設置した際、使用者は、比較的低い位置の第一開口１０５から美容パック等のシートを便利に取り出すことができる。この他にも、収納ボックス１０は、使用者のその他の保存用品を保存し、取り出す要求を満たすことができる。
【００３７】
以上の実施例は、本考案の技術方案を説明しているだけであり、これに制限されない。実施形態を参照して本考案に対して詳細に説明しているが、当業者であれば理解できるものであり、本考案の技術方案の精神及び本質を逸脱しない限り、本考案の技術方案に対して修正又は同等なものに置き換えることができる。
【符号の説明】
【００３８】
１０  収納ボックス
２０  ドア
３０  スロット
１００  第一側壁
１０１  第二側壁
１０２  左側壁
１０３  右側壁
１０４  底壁
１０５  第一開口
１０６  第二開口
１０７  第三開口
１０８  仕切り板
１０９  ひっかけ部
２００  収容空間
３００  収容部
【図１】
0003215239.tif 000003
【図２】
0003215239.tif 000004
【図３】
0003215239.tif 000005